(57)【特許請求の範囲】
【請求項１】
床に固定設置された洋式便器の上面後部に穿設された便座取付孔に便座取り付け用のヒンジに設けられたねじ軸を挿入して洋式便器の上面に回動可能に設けられた便座への着座および立ち上がりを補助する回動可能な跳ね上げ式簡易ひじ掛け体であって、洋式便器の上面後部において前記便座取り付け用のヒンジの支軸方向に沿って、ねじ止めによって前記便座取り付け用のヒンジの下面および洋式便器の上面後部間に介装される板材と、回動するひじ掛けと、前記板材の左右両端に設けられたひじ掛け取り付け用のヒンジとからなり、更に、前記板材は前記ねじ軸が挿入可能な板材取付孔を有し、前記ひじ掛けは、前記ひじ掛け取付け用のヒンジに連設した立上り部分およびこの立上り部分に連設した水平部分が形成された左右一対のひじ掛け本体と、各ひじ掛け本体に対して内側に重ね折り可能に設けられた脚とを備えていることを特徴とする跳ね上げ式簡易ひじ掛け体。
【発明の詳細な説明】
【０００１】
【発明の属する技術分野】
この発明は、洋式便器の便座への着座および立ち上がりを補助する跳ね上げ式簡易ひじ掛け体に関するものである。
【０００２】
【発明が解決しようとする課題】
この発明は、洋式便器の上面後部に穿設された便座取付孔に上方から板材取付孔を重ねた状態で板材を前記上面後部に載置し、便座取り付け用のヒンジに設けられたねじ軸の先端を上方から前記両孔に挿通して前記板材を洋式便器に密着させるとともに、前記板材の左右両端に設けられたひじ掛け取り付け用のヒンジでひじ掛けを回動させるように構成することにより、使用時には、前記ひじ掛けを床に下げて便座への着座および立ち上がりを補助させるようにし、不使用時には、前記ひじ掛けを床から上げた状態で待機させるようにし、洋式便器の使用にあたって補助の必要な人にとっては、待機状態の前記ひじ掛けを床に下げるだけの容易な操作で使用でき、特に、車椅子の高齢者等車椅子が必要な人にとっては、前記ひじ掛けによって車椅子が邪魔されることなく車椅子から便座へ容易に乗り移ることができるとともに、待機状態の前記ひじ掛けを床に下げるだけで使用できる一方、補助の必要でない人でも前記待機状態では、前記ひじ掛けが邪魔になることのない新規な構成の跳ね上げ式簡易ひじ掛け体を得るようにしたものである。
【０００３】
【課題を解決するための手段】
この発明は、床に固定設置された洋式便器の上面後部に穿設された便座取付孔に便座取り付け用のヒンジに設けられたねじ軸を挿入して洋式便器の上面に回動可能に設けられた便座への着座および立ち上がりを補助する回動可能な跳ね上げ式簡易ひじ掛け体であって、洋式便器の上面後部において前記便座取り付け用のヒンジの支軸方向に沿って、ねじ止めによって前記便座取り付け用のヒンジの下面および洋式便器の上面後部間に介装される板材と、回動するひじ掛けと、前記板材の左右両端に設けられたひじ掛け取り付け用のヒンジとからなり、更に、前記板材は前記ねじ軸が挿入可能な板材取付孔を有し、前記ひじ掛けは、前記ひじ掛け取付け用のヒンジに連設した立上り部分およびこの立上り部分に連設した水平部分が形成された左右一対のひじ掛け本体と、各ひじ掛け本体に対して内側に重ね折り可能に設けられた脚とを備えている。
【０００４】
【作用】
ひじ掛けを、板材を介して洋式便器の上面後部に回動可能に取り付けて、使用時には、ひじ掛けを床に下げて便座への着座および立ち上がりを補助させ、不使用時には、前記ひじ掛けを床から上げた状態で待機させることができるよう構成したので、例えば、回動不能の状態で床に固定して使用する必要のあるひじ掛けに比べて、洋式便器の使用にあたって補助の必要な人、とりわけ、車椅子の高齢者等車椅子が必要な人にとっては、前記ひじ掛けが床から上がっているので、車椅子がひじ掛けに邪魔されること無く車椅子から便座へ容易に乗り移ることができ、また、便座から車椅子へ容易に乗り移ることができる点で有利である。
【０００５】
【発明の実施の形態】
以下にこの発明の実施の形態について説明する。なお、この発明はそれによって限定されるものではない。
図１〜図４は、便座として電熱ヒータを内蔵した前丸暖房便座を用い、ねじ止めによって便座取り付け用のヒンジの下面および洋式便器の上面後部間に板材を介装してひじ掛けを回動するように構成してあるこの発明の第１の実施形態を示す。
【０００６】
図１〜図４において、１は跳ね上げ式簡易ひじ掛け体、２はこのひじ掛け体１を取付ける便座取付孔３，３を上面後部Ａの左右位置に間隔Ｌを有して形成してある洋式便器で、床４に固定設置されている。５は前丸暖房便座（以下、便座という）で、後述する左右一対の便座取り付け用のヒンジ９，９によって洋式便器２の上面２ａに回動可能に設けられた便座用座６とフタ７から構成される。８，８は、便座取付孔３，３に挿入可能なねじ軸で、後述する便座支軸保持部材１１の取り付け台１０に設けられている。この取り付け台１０は便座取り付け用のヒンジ９の一つの構成部材であって、左右一対設けられている。
【０００７】
１１は、取り付け台１０の上面に立設状態で一体成形により取り付けられた便座支軸保持部材で、便座用座６に設けられた左右一対の支軸挿通部１２とフタ７に設けられた左右一対の支軸挿通部１３とを挿通する便座用支軸Ｇを保持できる支軸取付孔（図示せず）を有している。この便座支軸保持部材１１も便座取り付け用のヒンジ９の一つの構成部材であって、左右一対設けられている。そして、前記支軸Ｇ、取り付け台１０、便座支軸保持部材１１、支軸挿通部１２，１３から便座取り付け用のヒンジ９が構成されている。なお、１４はヒンジ９の化粧用カバー体である。
【０００８】
以下、跳ね上げ式簡易ひじ掛け体１について詳述する。
１６は、断面略凹型の板材で、ねじ軸８，８が挿入可能な板材取付孔１７，１７を便座取付孔３，３間と同一間隔Ｌを有して形成されており、ねじ軸８を用いたねじ止めによって前記取り付け台１０の下面Ｂおよび洋式便器２の上面後部Ａ間で、前記便座取り付け用のヒンジ９の支軸方向に沿って介装される。この板材６の材料としては、例えば、ステンレス等の金属、あるいは、チタン、カーボン等のような強度を有するものを用いるのが好ましい。
【０００９】
１８はひじ掛けで、前記板材１６の左右両端１６ａ，１６ａに設けられたひじ掛け取り付け用のヒンジ２３，２３によって矢印Ｄで示す方向に回動可能に左右一対設けられている。つまり、各ひじ掛け１８は、パイプ状のひじ掛け本体１９と、同じくパイプ状の脚２０とを備えており、ひじ掛け１８を床４から上げるようにひじ掛け１８の平板６側への跳ね上げ動作を行わせる前記ヒンジ２３，２３は、ひじ掛け本体１９の回動角度（例えば９０°）を規定するためのストッパーとしての機能も備えている。更に、このひじ掛け本体１９は、立ち上がり部分１９ａと水平部分１９ｂで構成されている。なお、ひじ掛け１８，１８間の間隔Ｍは適宜設定できるものであり、例えば、洋式便器２の背面にタンクがある場合にはこのタンク幅より広めにとって、ひじ掛け１８，１８を床４から上げた状態で待機させる場合にタンクに当たらないように構成するのが好ましく、また、ひじ掛け１８を床４に支持させたときのひじ掛け本体１９の床４からの高さ、つまり、脚２０の長さＮもその都度適宜設定できる。このひじ掛け本体１９および脚２０の材料としても、例えば、ステンレス等の金属、あるいは、チタン、カーボン等のような強度を有するものを用いるのが好ましい。
【００１０】
２１は、ひじ掛け本体１９および脚２０間に取り付けられた脚取り付け用のヒンジで、このヒンジ２１によって脚２０はひじ掛け本体１９に対して内側に重ね折り可能である。なお、この実施形態では、前記ひじ掛け取り付け用のヒンジ２３も、前記脚取り付け用のヒンジ２１と同一構成にしてある。
【００１１】
以下跳ね上げ式簡易ひじ掛け体１に用いられる前記脚取り付け用のヒンジ２１について詳述する。
ヒンジ２１は、脚２０を内側（ひじ掛け本体１９側）に重ね折りさせることができるとともに、脚２０の回動角度θ（例えば９０°）を規定するためのストッパーとしての機能を備えている。図３，４において、２４は例えば硬質樹脂製のストッパー構成部材で、これは、回動角度θを規定する円弧状の溝ａと、この溝ａの両端に、さらに深く形成されてひじ掛け１８を床４に下げたときに床４に支持されている脚２０が内側に折れ曲がらないように回動角度θ（例えば９０°）を維持しながら停止させるための停止用の溝ｂ，ｂ’とを貫通孔ｃの内壁に備えており、かつ、ひじ掛け本体１９の一端に嵌め込まれている。そして、このストッパー構成部材２４の中央には、脚２０側のリング状の結合部材２５を挿入させるための切欠きｄが設けられている。なお、前記リング状の結合部材２５の基部３５は、脚２０の一端に嵌め込まれている。
【００１２】
２６は、軸ｅの先端にネジ部ｆを有するとともに、頂部ｇの内側に、前記溝ａを摺動して脚２０をＦで示す矢印方向に回動させるとともに、前記溝ｂ，ｂ’に嵌まると脚２０の回動を停止させるストッパー用の突起ｊを有するピンで、軸ｅの中央部には、脚２０の回動通りにピン２６を回動させるための回り止め用の凹所ｋが設けられている。
【００１３】
２８は、先端部２８ａが前記回り止め用の凹所ｋに係合されるピンで、前記結合部材２５に設けられたネジ孔ｈにピン２８が螺合して先端部２８ａが内周面２５ａから突出する。
【００１４】
３０は、内壁の中央にピン２６のネジ部ｆが螺合するネジ穴ｍを有し、このネジ穴ｍの外周にバネ取り付け用の環状溝ｎを有する半球状の押しボタンである。
【００１５】
以下、ヒンジ２１の動作について簡単に説明すると、図４に示すように、脚２０を床に下げたときには、押しボタン３０にネジ止めされたピン２６の頂部ｇの内側がバネｔの付勢力によってストッパー構成部材２４の貫通孔ｃの環状壁ｉに当接し、かつ、例えば一方の前記溝ｂに突起ｊが嵌まり込んだ状態にあり、脚２０は、図１の実線で示す状態にある。
【００１６】
次に、押しボタン３０が押されると、バネｔの付勢力に抗してピン２６がＶで示す矢印方向に、かつ、ピン２８の先端部２８ａが前記回り止め用の凹所ｋに係合した状態で摺動する。すなわち、ピン２６の頂部ｇとストッパー構成部材２４の環状壁ｉは離間するとともに、突起ｊが前記溝ｂから前記溝ａに移行する。
【００１７】
続いて、脚２０を回動させる。この場合、脚２０は、ピン２６の軸ｅを中心にして内側に回動する。この間、突起ｊは前記溝ａを摺動し、他方の前記溝ｂ’に至り、これに嵌まり込むと、脚２０は、図１の二点鎖線で示す状態になる。
【００１８】
なお、図１，２において、４０は、ねじ軸８用のナット４１と洋式便器２との間に挿入される例えば樹脂からなるスペーサであり、４２は、スペーサ４０とナット４１との間に挿入されるワッシャである。
【００１９】
而して、洋式便器２の上面後部Ａに穿設された便座取付孔３に上方から板材取付穴１７を重ねた状態で板材１６を上面後部Ａに載置し、便座取り付け用のヒンジ９に設けられたねじ軸８の先端を上方から前記両孔１７，３に挿通して板材１６を洋式便器２に密着させるとともに、平板１６の左右両端に設けられたひじ掛け取り付け用のヒンジ２３，２３でひじ掛けを回動させるように構成することにより、使用時には、図１の実線で示す状態のようにひじ掛け１８を床４に下げて便座５への着座および立ち上がりを補助させることができ、不使用時には、図１の二点鎖線で示す状態のようにひじ掛け１８を床４から上げた状態で待機させることができ、洋式便器２の使用にあたって補助の必要な人にとっては、待機状態のひじ掛け１８を床４に下げるだけの容易な操作で使用でき、特に、車椅子の高齢者等車椅子が必要な人にとっては、ひじ掛け１８によって車椅子が邪魔されることなく車椅子から便座５へ容易に乗り移ることができるとともに、待機状態のひじ掛け１８を床４に下げるだけで使用できる一方、補助の必要でない人でも前記待機状態では、ひじ掛け１８が邪魔になることはない。
また、押しボタン３０は丸みを持っているので、同じように操作するにしても、例えば、レバー形状のようなものに比して、引っ掛かりがなく、操作し易くできる。
【００２０】
図５は、跳ね上げ式簡易ひじ掛け体１の第２の実施形態を示し、この実施形態では、上記実施形態と異なり、脚部分を一体化している。すなわち、脚部分を、一対の縦部材２０ａ，２０ａと水平部材２０ｂとから構成し、この水平部材２０ｂを床４に当接させるようにすることによって、ひじ掛け体１のグラツキを防止できる。
【００２１】
図６は、跳ね上げ式簡易ひじ掛け体１の第３の実施形態を示し、図２で示した実施形態のものと異なる点は、ひじ掛け本体１９に滑り防止機能を有する例えばラバークッション等のようなものを装着したことである。更に、抗菌処理等を施したラバークッション等をひじ掛け本体１９に装着すれば、滑り防止できる上に、衛生面でも良好である。
【００２２】
図７は、便座として、例えば、消臭ユニット付きで温水洗浄のためのスイッチボックスを備えた前丸暖房便座を用い、ねじ止めによって便座取り付け用のヒンジの下面および洋式便器の上面後部間に介装されるひじ掛けの板材を、スイッチボックスの形状に応じた形状に構成してあるこの発明の第４の実施形態を示す。
【００２３】
図７において、５０はスイッチボックスである。そして、跳ね上げ式簡易ひじ掛け体１は、スイッチボックス５０の形状に応じた形状を有する板部材５６と、板部材５６の左右両端５６ａ，５６ａに設けられたひじ掛け取り付け用のヒンジ２３，２３と、ひじ掛け５８と、脚取り付け用のヒンジ２１，２１とから構成されており、更に、ひじ掛け５８は、ひじ掛け本体５９と脚６０から構成されている。この実施形態では、スイッチボックス５０の長さに相当する分だけ、ヒンジ２１，２１間の間隔よりもヒンジ２３，２３間の間隔が長くなっている。
【００２４】
【発明の効果】
以上説明したように、ひじ掛けを、板材を介して洋式便器の上面後部に回動可能に取り付けて、使用時には、ひじ掛けを床に下げて便座への着座および立ち上がりを補助させ、不使用時には、前記ひじ掛けを床から上げた状態で待機させることができるよう構成したので、例えば、回動不能の状態で床に固定して使用する必要のあるひじ掛けに比べて、洋式便器の使用にあたって補助の必要な人、とりわけ、車椅子の高齢者等車椅子が必要な人にとっては、前記ひじ掛けが床から上がっているので、車椅子がひじ掛けに邪魔されること無く車椅子から便座へ容易に乗り移ることができ、また、便座から車椅子へ容易に乗り移ることができる点で有利であるとともに、安価である。
【図面の簡単な説明】
【図１】  この発明の第１の実施形態を示す全体構成説明図である。
【図２】  上記実施形態における全体分解斜視図である。
【図３】  上記実施形態における要部分解斜視図である。
【図４】  上記実施形態における脚取り付け用のヒンジの動作を説明するための図である。
【図５】  この発明の第２の実施形態を示す構成説明図である。
【図６】  この発明の第３の実施形態を示す構成説明図である。
【図７】  この発明の第４の実施形態を示す全体構成説明図である。
【符号の説明】
２…洋式便器、３…便座取付孔、４…床、５…便座、８…ねじ軸、９…便座取り付け用のヒンジ、１０…取り付け台、１６…板材、１７…板材取付孔、１８…ひじ掛け、１９…ひじ掛け本体、２０…脚、Ａ…上面後部、Ｂ…取り付け台の下面。
【図１】
0003785233.tif 000002
【図２】
0003785233.tif 000003
【図３】
0003785233.tif 000004
【図４】
0003785233.tif 000005
【図５】
0003785233.tif 000006
【図６】
0003785233.tif 000007
【図７】
0003785233.tif 000008